(57)【要約】【課題】  睫毛のボリューム感の調整と繊細な仕上げに必要な微調整を可能とする使い勝手のよいマスカラ塗布具の提供。【解決手段】  軸部により保持されたブラシ部の先端側にコーム部を備えたマスカラ塗布具であって、前記コーム部の天面部および少なくとも一の側面部にはそれぞれ櫛歯部を形成してなることを特徴とするマスカラ塗布具。【選択図】  図１
2008220742.tif 000002
【特許請求の範囲】
【請求項１】
軸部により保持されたブラシ部の先端側にコーム部を備えたマスカラ塗布具であって、前記コーム部の天面部および少なくとも一の側面部にはそれぞれ櫛歯部を形成してなることを特徴とするマスカラ塗布具。
【請求項２】
前記櫛歯部が前記コーム部の天面部および一の側面部にそれぞれ形成されていることを特徴とする請求項１記載のマスカラ塗布具。
【請求項３】
前記櫛歯部が前記コーム部の天面部および全周面にそれぞれ形成されていることを特徴とする請求項１記載のマスカラ塗布具。
【請求項４】
前記コーム部の天面部に形成された前記櫛歯部の各櫛歯が断面略半円形または断面略三角形に形成されるとともに、各櫛歯同士が放射状に形成されたことを特徴とする請求項１ないし請求項３のいずれかに記載のマスカラ塗布具。
【請求項５】
前記ブラシ部が、軸部より連設する芯部よりブラシ毛を放射状に形成してなる捻りブラシであることを特徴とする請求項１ないし請求項４のいずれかに記載のマスカラ塗布具。
【発明の詳細な説明】
【技術分野】
【０００１】
本発明は、マスカラ塗布具に関し、更に詳細には、ブラシ部の先端側にコーム部が設けられたマスカラ塗布具に関するものである。
【背景技術】
【０００２】
マスカラ塗布具によるメーキャップは、睫毛のボリューム感の調整と繊細な仕上げの両立が求められる作業であり、とりわけ、睫毛全体のボリューム感をアップさせるために睫毛の根元にマスカラのバルクを塗布したり、目頭や目尻付近に塗布する際のキメ細かな調整は、メーキャップの出来を左右する重要な要素である。
【０００３】
そこで、かかる要望に応えるため、櫛歯状のコームを備えたマスカラ塗布具や、先端に繊維パイルを静電植毛したチップを備えたマスカラ塗布具などが提案されている（特許文献１〜３）。
【０００４】
ところが、特許文献１または２に開示されたもののようにブラシ部を備えないマスカラ塗布具では、塗布部分に含有できる化粧料の量が少なく、睫毛全体にマスカラ液を塗布するのに繰り返し塗布具を容器内でマスカラ液に含浸させなければならないため、時間と手間がかかってしまうものであった。
【０００５】
また、特許文献１または２のように、塗布具の軸側面のみにコームを形成したものは、細かい部分の微調整が難しく、塗布したくない部分にマスカラ液を付けてしまったり、逆に取りたくない部分のマスカラ液まで取ってしまうおそれがあった。
【０００６】
さらに、特許文献３のように先端に繊維パイルを静電植毛したチップを備えたものでは、コームのように、マスカラ液がダマにならないよう睫毛を梳かしたり、余分なマスカラ液を取るなどの微調整が難しかった。
【０００７】
【特許文献１】特開２００２−３３６０３７
【特許文献２】特開２００５−３１９００４
【特許文献３】特開２００５−８７６３５
【発明の開示】
【発明が解決しようとする課題】
【０００８】
そこで本発明は、従来のマスカラ塗布具のかかる欠点を克服し、睫毛のボリューム感の調整と繊細な仕上げに必要な微調整を可能とする使い勝手のよいマスカラ塗布具を提供することをその課題とするものである。
【課題を解決するための手段】
【０００９】
本発明は、上記課題を解決するものであり、軸部により保持されたブラシ部の先端側にコーム部を備えたマスカラ塗布具であって、前記コーム部の天面部および少なくとも一の側面部にはそれぞれ櫛歯部を形成してなることを特徴とするマスカラ塗布具である。
【発明の効果】
【００１０】
本発明のマスカラ塗布具は、ブラシ部により睫毛全体にマスカラ液を塗布後、ブラシ部の先端側に設けられたコーム部の側面部で睫毛根元にバルクを塗布することで、ボリューム感をアップする効果を向上させることができる。さらに、コーム部の天面部で目頭や目尻付近などの細部の微調整も容易に行うことができる。
【００１１】
また本発明のマスカラ塗布具は、仕上げを櫛歯状に形成されたコーム部により睫毛を梳かしながら行うため、マスカラ液がダマになることなく睫毛を一本一本均一に仕上げることが可能である。
【発明を実施するための最良の形態】
【００１２】
以下、本発明のマスカラ塗布具の実施態様を、図面に基づいて説明する。なお、本発明はこれら実施態様に何ら制約されるものではない。
【００１３】
図１は本発明に係るマスカラ塗布具の正面図である。図中、1はコーム部、２はブラシ部、３は軸部、１１および１２は櫛歯部をそれぞれ示す。
【００１４】
図１に示すように、本実施態様のマスカラ塗布具は、軸部３によりブラシ部２が保持され、ブラシ部２の先端側にはチップ状のコーム部１が形成されている。ブラシ部２は、ブラシ毛を芯材で捻り放射状に形成されたいわゆる捻りブラシタイプのものである。なお、ブラシ部２は十分な量のマスカラ液を含むことができる放射状のものであれば、特にその素材や製法は限定されず、例えば、エラストマー樹脂を放射状に一体成形したものなどでもよい。
【００１５】
図２はコーム部１の平面図である。図に示すように、コーム部１は平面視略楕円形状に形成されたチップであり、その天面部には櫛歯部１１がコーム部１の天面部に溝部を形成することにより設けられている。また、その両側面部には、櫛歯部１２がそれぞれ棚状に突出するように形成されている。
【００１６】
図１に示すように、櫛歯部１２の長さをコーム部１の側面部中央が緩やかに膨出するように形成すると、塗布具を化粧料の容器本体に出し入れする際、ブラシ部に含まれた化粧料の量を調整するために容器本体入り口付近に設けられたシゴキ部を通過しやすくなるため好ましい。コーム部１を形成する素材としては、コーム部としての形状、機能を保有し得るものであれば良く、制限されるものではないが、ポリエチレン、ポリプロピレン、ポリエチレンテレフタレート、ポリスチレンやＡＢＳなどの合成樹脂や、ゴム、エラストマー等を好適なものとして適宜選択することができる。
【００１７】
本発明のマスカラ塗布具の使用方法の一例は以下の通りである。まず、ブラシ部２にて睫毛全体にマスカラ液を塗布する。この時、ブラシ部２では睫毛の根元にマスカラ液を塗布することは難しいので、次に、コーム部１の側面に形成された櫛歯部１２により更にマスカラ液を睫毛根元に塗布してボリューム感の調整を図る。最後に、コーム部１の天面に形成された櫛歯部１１にて、更にマスカラ液を塗布したり、逆に付けすぎたマスカラ液を取ったり、形を整えたりなどの微調整を行う。この時、櫛歯部１１がコーム部１の天面、即ちマスカラ塗布具の最先端にあるため、睫毛の微調整を行う際に既に塗布および調整が終了した他の睫毛や周辺の皮膚を汚すことなく、容易に微調整を行うことができる。
【００１８】
図３は、本発明のマスカラ塗布具の第二の態様を示す正面図である。この態様のものは、櫛歯部１２がコーム部１の一の側面に棚状に突出して形成されている。
【００１９】
図４は、本発明のマスカラ塗布具の第三の態様を示す正面図である。この態様のものは、櫛歯部１２がコーム部１の全周面にリブ状に突出して形成されている。
【００２０】
図５は、本発明のマスカラ塗布具の第四の態様を示す正面図、図６は該コーム部のＡ−Ａ’線断面図である。この態様のものは、コーム部１の天面に断面形状が略三角形に形成された櫛歯１１の板片が放射状に形成されており、更に、その両側面には櫛歯１２が棚状に突出して形成されている。
【００２１】
図７は、本発明のマスカラ塗布具の第五の態様を示す正面図、図８は該コーム部のＡ−Ａ’線断面図である。この態様のものは、コーム部１の天面に断面形状が略半円形に形成された櫛歯１１の板片が放射状に形成されており、更に、その全周面には櫛歯１２が棚状に突出して形成されている。
【図面の簡単な説明】
【００２２】
【図１】本発明に係るマスカラ塗布具の正面図。
【図２】本発明に係るマスカラ塗布具のコーム部の平面図。
【図３】本発明に係るマスカラ塗布具の第二の実施態様の正面図。
【図４】本発明に係るマスカラ塗布具の第三の実施態様の正面図。
【図５】本発明に係るマスカラ塗布具の第四の実施態様の正面図。
【図６】本発明に係るマスカラ塗布具の第四の実施態様のコーム部のＡ−Ａ’線断面図。
【図７】本発明に係るマスカラ塗布具の第五の実施態様の正面図。
【図８】本発明に係るマスカラ塗布具の第五の実施態様のコーム部のＡ−Ａ’線断面図。
【符号の説明】
【００２３】
１  …  …  コーム部
２  …  …  ブラシ部
３  …  …  軸部
１１  …  …  櫛歯部
１２  …  …  櫛歯部
以    上
【図１】
2008220742.tif 000003
【図２】
2008220742.tif 000004
【図３】
2008220742.tif 000005
【図４】
2008220742.tif 000006
【図５】
2008220742.tif 000007
【図６】
2008220742.tif 000008
【図７】
2008220742.tif 000009
【図８】
2008220742.tif 000010